(57)【特許請求の範囲】
【請求項１】
パチンコ球を発射する発射装置と、
回転部材を回転させてパチンコ球の発射勢を調整する操作ハンドルと、
前記操作ハンドルに遊技者が触れていることを電気的に検出して該操作ハンドルに遊技者が触れている場合に前記発射装置を駆動する駆動手段と、
前記操作ハンドルの遊技者が触れる部分と前記駆動手段とを電気的に接続するタッチ配線と、を備えたパチンコ機において、
前記操作ハンドルは、
パチンコ機前面部に固設される操作ハンドル保持部と、
前記操作ハンドル保持部の前側に固定され前記回転部材が回転可能に設けられた把持部材と、
前記操作ハンドル保持部の内部に固定されると共に、前記把持部材側に突出する回転可能な軸に金属ワッシャを挿通後、この軸が前記回転部材の裏側表面部の中央部に形成される貫通孔に嵌挿されて該回転部材の回転量を検出する可変抵抗器と、
を有し、
前記可変抵抗器は、前記軸側の端面部に該軸の半径方向外側に延出されて形成される板状で金属製の鍔部を有し、
前記回転部材は、外周側表面部及び前後の表面部に導電性薄膜が形成されると共に、該導電性薄膜が前記金属製ワッシャと摺接して前記鍔部と電気的に導通し、
前記タッチ配線は、一端側が前記鍔部の後側面に半田付けされると共に、他端側が前記操作ハンドル保持部内を後側に引き出されて前記駆動手段に接続されていることを特徴とするパチンコ機。
【請求項２】
パチンコ球を発射する発射装置と、
回転部材を回転させてパチンコ球の発射勢を調整する操作ハンドルと、
前記操作ハンドルに遊技者が触れていることを電気的に検出して該操作ハンドルに遊技者が触れている場合に前記発射装置を駆動する駆動手段と、
前記操作ハンドルの遊技者が触れる部分と前記駆動手段とを電気的に接続するタッチ配線と、を備えたパチンコ機において、
前記操作ハンドルは、
パチンコ機前面部に固設される操作ハンドル保持部と、
前記操作ハンドル保持部の前側端面部を覆う板状部と、
前記操作ハンドル保持部の前側に固定され前記回転部材が回転可能に設けられた把持部材と、
前記板状部の中央部に形成される貫通孔に後側から回転可能な軸を挿通して該板状部の後側面に固定されると共に、この軸が前記回転部材の裏側表面部の中央部に形成される貫通孔に嵌挿されて該回転部材の回転量を検出する可変抵抗器と、
を有し、
前記可変抵抗器は、前記軸側の端面部に該軸の半径方向外側に延出されて形成され、前記板状部の裏側面に当接される板状で金属製の鍔部を有し、
前記操作ハンドル保持部の前端縁部周囲の外側表面部、前記板状部の裏面と表面、及び該板状部の貫通孔の表面部には導電性薄膜が形成され、
前記回転部材は、外周側表面部及び前後の表面部に導電性薄膜が形成されると共に、該回転部材の裏面と該操作ハンドル保持部の前端部とが摺動するように構成され、
前記タッチ配線は、一端側が前記鍔部の後側面に半田付けされると共に、他端側が前記操作ハンドル保持部内を後側に引き出されて前記駆動手段に接続されていることを特徴とするパチンコ機。
【発明の詳細な説明】
【０００１】
【発明の属する技術分野】
本発明は、遊技者がパチンコ球の発射勢を調整する操作ハンドルに触れていることを電気的に検出するパチンコ機に関し、特に、操作ハンドル内に回転部材の回転量を検出する可変抵抗器を設け、かかる可変抵抗器に設けられた鍔部に対してタッチ配線の一端を電気的に接続するとともに、回転部材の導電性被膜と鍔部とを電気的に接続することにより、操作ハンドル組立時におけるタッチ配線の取り回しが容易になり、操作ハンドルの組立工数の削減化及び製造品質の向上を図ることができるパチンコ機に関するものである。
【０００２】
【従来の技術】
従来より、パチンコ球の発射勢を調整する操作ハンドルに遊技者が触れていることを検出するための検出手段と該操作ハンドルの遊技者の触れる部分とを電気的に接続するタッチ配線が設けられるパチンコ機が種々提案されている。
【０００３】
例えば、特開平５−３１２２６号公報に記載された遊技機の操作ハンドルでは、前方握手部材１６は、後方が開成する中空の半球状に形成してあり、その前面側の外表面にはメッキ処理等を施すことによって導電性の薄膜を形成してある。そして、この前方握手部材１６に人体が接触しているか否かを導通の有無で判定するためのタッチプレートを構成する。また、この前方握手部材１６の内側面に形成される連結板受部１６ａには、導電性部材によって形成される連結板３０が該前方握手部材１６の表面側からビス等で止着されている。また、この連結板３０には、可変抵抗器取付部材２３の鍔部２４に形成される下部挿通孔２３ｂ、可変抵抗器２１の下側、及び、後方握手部材１３の配線挿通孔１３ｂを介して前面枠２の背面側に導出されるタッチ配線３１がビス止め等により接続されている。
これにより、前方握手部材１６の外表面に形成したタッチプレートが連結板３０を介してタッチ配線３１と接続され、該タッチ配線３１からタッチ情報が入力されることによって、弾発射機構９の弾発動作が可能な状態になる。また、前方握手部材１６のタッチプレートから連結板３０を介してタッチ配線３１と接続することで、回動操作部材１５の回動動作に影響されることなく、タッチ情報の送信路は定位置に保持されるので、タッチプレートとタッチ配線との接続部に接触不良が生じず、操作ハンドル１１の信頼性を向上させ得る。
【０００４】
【発明が解決しようとする課題】
しかしながら、上述した特開平５−３１２２６号公報に記載された遊技機の操作ハンドルにおいては、タッチ配線３１を可変抵抗器２１の下側、及び、後方握手部材１３の配線挿通孔１３ｂに挿通後、連結板３０にビス止め等により接続した後、更に、該連結板３０を後方握手部材１６の連結板受部１６ａにビス等で止着しなければならないため、操作ハンドル１１の構造が複雑になると共に、組立て作業が煩雑になり組立工数が増加するという問題がある。
【０００５】
そこで、本発明は、上述した問題点を解決するためになされたものであり、操作ハンドル内に回転部材の回転量を検出する可変抵抗器を設け、かかる可変抵抗器に設けられた鍔部に対してタッチ配線の一端を電気的に接続するとともに、回転部材の導電性被膜と鍔部とを電気的に接続することにより、操作ハンドル組立時におけるタッチ配線の取り回しが容易になり、操作ハンドルの組立工数の削減化及び製造品質の向上を図ることができるパチンコ機を提供することを目的とする。
【０００６】
【課題を解決するための手段】
前記目的を達成するため請求項１に係るパチンコ機は、パチンコ球を発射する発射装置と、回転部材を回転させてパチンコ球の発射勢を調整する操作ハンドルと、前記操作ハンドルに遊技者が触れていることを電気的に検出して該操作ハンドルに遊技者が触れている場合に前記発射装置を駆動する駆動手段と、前記操作ハンドルの遊技者が触れる部分と前記駆動手段とを電気的に接続するタッチ配線と、を備えたパチンコ機において、前記操作ハンドルは、パチンコ機前面部に固設される操作ハンドル保持部と、前記操作ハンドル保持部の前側に固定され前記回転部材が回転可能に設けられた把持部材と、前記操作ハンドル保持部の内部に固定されると共に、前記把持部材側に突出する回転可能な軸に金属ワッシャを挿通後、この軸が前記回転部材の裏側表面部の中央部に形成される貫通孔に嵌挿されて該回転部材の回転量を検出する可変抵抗器と、を有し、前記可変抵抗器は、前記軸側の端面部に該軸の半径方向外側に延出されて形成される板状で金属製の鍔部を有し、前記回転部材は、外周側表面部及び前後の表面部に導電性薄膜が形成されると共に、該導電性薄膜が前記金属製ワッシャと摺接して前記鍔部と電気的に導通し、前記タッチ配線は、一端側が前記鍔部の後側面に半田付けされると共に、他端側が前記操作ハンドル保持部内を後側に引き出されて前記駆動手段に接続されていることを特徴とする。
【０００７】
【０００８】
また、請求項２に係るパチンコ機は、パチンコ球を発射する発射装置と、回転部材を回転させてパチンコ球の発射勢を調整する操作ハンドルと、前記操作ハンドルに遊技者が触れていることを電気的に検出して該操作ハンドルに遊技者が触れている場合に前記発射装置を駆動する駆動手段と、前記操作ハンドルの遊技者が触れる部分と前記駆動手段とを電気的に接続するタッチ配線と、を備えたパチンコ機において、前記操作ハンドルは、パチンコ機前面部に固設される操作ハンドル保持部と、前記操作ハンドル保持部の前側端面部を覆う板状部と、前記操作ハンドル保持部の前側に固定され前記回転部材が回転可能に設けられた把持部材と、前記板状部の中央部に形成される貫通孔に後側から回転可能な軸を挿通して該板状部の後側面に固定されると共に、この軸が前記回転部材の裏側表面部の中央部に形成される貫通孔に嵌挿されて該回転部材の回転量を検出する可変抵抗器と、を有し、前記可変抵抗器は、前記軸側の端面部に該軸の半径方向外側に延出されて形成され、前記板状部の裏側面に当接される板状で金属製の鍔部を有し、前記操作ハンドル保持部の前端縁部周囲の外側表面部、前記板状部の裏面と表面、及び該板状部の貫通孔の表面部には導電性薄膜が形成され、前記回転部材は、外周側表面部及び前後の表面部に導電性薄膜が形成されると共に、該回転部材の裏面と該操作ハンドル保持部の前端部とが摺動するように構成され、前記タッチ配線は、一端側が前記鍔部の後側面に半田付けされると共に、他端側が前記操作ハンドル保持部内を後側に引き出されて前記駆動手段に接続されていることを特徴とする。
【０００９】
このような特徴を有する請求項１及び請求項２に係るパチンコ機においては、回転操作部材の導電性被膜と鍔部とを電気的に接続するとともに、鍔部に対してタッチ配線の一端を電気的に接続するように構成されているので、遊技者が操作ハンドルの回転操作部材に触れていることをこのタッチ配線を介して電気的に確実に検出することができる。
また、前記請求項１及び請求項２に係るパチンコ機では、駆動手段に接続されているタッチ配線の一端が、可変抵抗器に付設された金属製の鍔部の後面側に電気的に接続されているので、タッチ配線の他端側は、操作ハンドル保持部内を鍔部の後側へ引き出されることとなり、これにより操作ハンドルの組立時におけるこのタッチ配線の引き出し及び取り回しが容易になり、操作ハンドルの組立工数の削減化及び製造品質の向上を図ることができる。
【００１０】
【発明の実施の形態】
以下、本発明に係るパチンコ機について、具体化した第１及び第２実施の形態を図面を参照して詳細に説明する。
先ず、第１実施形態に係るパチンコ機の全体構成について図１及び図２に基づき説明する。図１は第１実施形態に係るパチンコ機全体を示した正面図である。図２は第１実施形態に係るパチンコ機全体を示した背面図である。
【００１１】
図１において、パチンコ機１は、いわゆる第一種パチンコ機である。パチンコ機１は、後述する入賞口、特別図柄表示装置、電動役物及び、ゲート等の各種構造物が遊技盤２上に配設されている。その遊技盤２の下には、不図示の樋を介して排出される賞球を受ける上部受け皿３がスピーカ３ａを内蔵してプレート４に配設されている。そして、その上部受け皿３の下には、下部受け皿５が配設される。また、上部受け皿３に連通する不図示の球送り機構を介して上部受け皿３のパチンコ球が操作ハンドル６に連結された不図示の発射装置へ送られるよう構成されている。また、遊技盤２の両肩部には、賞球及び球切れ表示ランプ１０、１０が設けられている。尚、下部受け皿５と一体に形成された平板部と操作ハンドル６との連結構造については後述する。
【００１２】
一方、遊技盤２の前側は、鋼板やステンレス等の金属製のガラス扉９により被覆されており、このガラス扉９は、枠体の前側にヒンジ部材等を介して開閉自在に取り付けられている前面枠に開閉自在に取り付けられている。また、ガラス扉９には開口部を有する鋼板やステンレス等の金属製のガラス保持枠がスポット溶接等により固着されており、かかるガラス保持枠に装着された２枚のガラスを通して遊技領域を見ることができる。また、ガラス扉９の上部には、遊技中のエラーを表示するエラー表示ランプ７やガラス扉９の上部及び右側には、「当り」を表示する当り表示ランプ８、８が取り付けられている。
【００１３】
また、パチンコ機１における遊技盤２上の遊技領域Ａの構成について説明する。この遊技領域Ａは、所定厚さの板材をからなる遊技盤２上に入賞口等の各構造物が所定の位置に取り付けられ、それを囲むように環状のレール１１が取り付けられている。このレール１１は、発射されたパチンコ球を遊技領域Ａ内に案内する案内路１５を構成しており、右肩部にはレール１１に沿って打ち込まれるパチンコ球の進行を制限するための段差部１６を有する。そして、その段差部１６には軸支された返しゴム（図示されていない）が配設されている。
【００１４】
また、遊技領域Ａのほぼ中央には、特別図柄表示装置である液晶表示器１２が取り付けられている。この液晶表示器１２は、左、中、右に３つの変動図柄を表示する液晶パネルであって、遊技盤２の裏面側から取り付けられている。
【００１５】
液晶表示器１２の上方の中心線上には入賞口１８が設けられている。入賞口１８の上には、キャラクタ図柄が描かれている。この入賞口１８に入賞すると、所定の個数の賞球が上部受け皿３に排出される。そして、液晶表示器１２の下方の中心線上には、第１種始動口１９が設けられている。この第１種始動口１９に入賞すると液晶表示器１２に表示されている変動図柄群が変動する。
【００１６】
また、変動図柄が変動中に第１種始動口１９に入賞した場合には、入賞個数が４個になるまでＲＡＭの保留カウンタ（図示せず）に記憶されて変動確定回数として保留される。そして、液晶表示器１２の下端部には、この保留カウンタに記憶されているカウント値が表示される４個の保留ＬＥＤ１３が設けられている。
【００１７】
さらに、液晶表示器１２の下方には、下方入賞口である大入賞口１７が設けられている。大入賞口１７は、液晶表示器１２において変動図柄が揃って大当りが発生したとき等に開閉する扉構造を有している。
【００１８】
また、図２に示すように、パチンコ機１は、木製の外枠２２に対して木製の内枠２３がヒンジ部材等を介して開閉自在に取り付けられている。また、この内枠２３のほぼ中央部には、遊技盤２が着脱可能なように鉄板等の金属製の機構盤２４が取り付けられている。そして、この機構盤２４の片側には合成樹脂製の機構セット盤２５が開閉自在に蝶番により取り付けられている。
【００１９】
パチンコ機１の裏側上部には、上方に開口した賞球タンク２６が機構セット盤２５に固定されている。賞球タンク２６の直上には補給装置２７が配設され、吐出部２７Ａが垂直に降りている。賞球タンク２６は、傾斜した底面に連通孔（不図示）が形成され、その連通孔の下方にはパチンコ球を２列に整列流出し得る傾斜したタンクレール２８が取付けられている。
【００２０】
また、賞球ケース３２へパチンコ球を案内する賞球案内部２９内には、タンクレール２８の下流側のパチンコ球を案内する２列の賞球通路３０が形成されている。
【００２１】
また、賞球ケース３２には、各タンクレール２８、賞球通路３０を通過するパチンコ球の数を確認する確認スイッチ、パチンコ球の送り出しを調節する払い出しソレノイド等（いずれも不図示）が内装されている。そして、これら賞球タンク２６、タンクレール２８、賞球案内部２９、賞球ケース３２、確認スイッチ、及び払い出しソレノイド等により賞球払出システムが構成されている。
【００２２】
そして、賞球ケース３２の下流側には排出部が形成され、排出路３３及び下部受け皿満タンスイッチが内装された排出路３４が下端部下方に開口して形成されている。また、この開口部の下方には、上部受け皿３から溢れた賞球やファール球を受けて下部受け皿５の賞球受皿５２（図３参照）に案内する下部受皿ボックス３５がナットによりネジ止めされて内枠２３の裏側に取り付けられている。
【００２３】
また、機構セット盤２５上には、基板ボックス３６Ａ内に配置される主基板３６が、遊技盤裏面を覆う透明なＡＢＳ等の樹脂製のセンターカバー３７に装着された状態で固定されている。この主基板３６には、パチンコ機１の遊技動作などを制御する制御回路が構成されている。
【００２４】
また、主基板３６の下側には、コントロール基板が装着されたコントロールボックス３８が取り付けられている。このコントロール基板は、賞球払出等の制御を行うための制御回路を構成している。
【００２５】
また、コントロールボックス３８の下側には、発射装置に反復回動自在に取り付けられて供給されるパチンコ球を連続的に叩打する槌４２を不図示のカム機構等を介して駆動する電動機ユニット４１が設けられている。この電動機ユニット４１は、発射モータ４１Ａや駆動回路部４１Ｂ等から構成され、該駆動回路部４１Ｂは、操作ハンドル６の内部に取り付けられる可変抵抗器５０（図４参照）を介して発射モータ４１Ａへの供給電力が調節され、槌４２のパチンコ球の発射勢を強めたり、弱めたりすることが可能なように構成されている。これにより、遊技者が操作ハンドル６における回転部材５４（図３、図４参照）の回動量を調節することによって、可変抵抗器５０の抵抗値が増減され、槌４２によるパチンコ球の発射勢の加減を適宜行うことができる。
【００２６】
さらに、機構セット盤２５の上方角部（図２中、右上角部）には、中継基板４０が設けられている。この中継基板４０は、パチンコ機１とホールコンピュータをつなぐ基板である。
【００２７】
次に、下部受け皿５と一体に形成された平板部と操作ハンドル６との連結構造について、図３及び図４を参照して説明する。図３は第１実施形態に係るパチンコ機１の下部受け皿５及びその周辺構成を取り出して示す上面図である。図４は第１実施形態に係るパチンコ機１の操作ハンドル６及びその取付部の模式断面図である。
【００２８】
これらの図において、下部受け皿５の右側には、下部受け皿５と連続して一体形成された平板部５１が設けられている。尚、下部受け皿５及び平板部５１は、ＡＢＳ樹脂等から一体形成されている。そして、操作ハンドル６は、平板部５１に配設されている。
【００２９】
操作ハンドル６は、平板部５１に形成された操作ハンドル保持部５２に対して、把持部材５３を固定的に保持させるとともに、把持部材５３にて回転部材５４を回転可能に設けることにより構成されている。
【００３０】
ここに、操作ハンドル保持部５２は、平板部５１の前面側（図３、図４の下側）に向かって突出形成された円筒状の支持部５５、及び、支持部５５の径よりも大径を有し支持部５５に連続して形成されて把持部材５３を固定的に保持する保持部５６とから構成されている。そして、支持部５５と保持部５６とを連結する連結部５７は、支持部５５の周囲に存在し、支持部５５の周囲に渡って平板部５１との間の距離Ｌは、略同一距離に形成されている。尚、支持部５５は円筒状である必要はなく、例えば、断面四角形状等の筒状であればよい。かかる場合には、保持部５６の幅は支持部５５の幅よりも大きく形成される。
【００３１】
また、操作ハンドル保持部５２の内部において、可変抵抗器５０が、図示しない固定壁により固定されている。かかる可変抵抗器５０は把持部材５３側に突出する回転可能な軸５８を有し、可変抵抗器５０からは平板部５１側に導出された信号線５９Ａが設けられている。ここに、可変抵抗器５０は、軸５８の回転量に基づき抵抗値が変化し、このように変化された抵抗値の信号が信号線５９Ａを介して前記電動機ユニット４１に入力されるものである。電動機ユニット４１は、可変抵抗器５０における抵抗値の変化を示す信号が入力された際に、その抵抗値変化に応じて発射モータ４１Ａへの供給電力を調整し、槌４２のパチンコ球の発射勢を強めたり、弱めたりして槌４２によるパチンコ球の発射勢の加減する。
また、可変抵抗器５０の金属製等の導電性の鍔部５０Ａの裏側にはタッチ配線５９Ｂが半田付け等により接続されている。そして、このタッチ配線の他端は、電動機ユニット４１の駆動回路部４１Ｂに接続されている。また、回転部材５４の外周側表面部及び前後の表面部にはメッキ処理を施すことによって導電性の薄膜が形成されている。そして、可変抵抗器５０の軸５８は、金属製ワッシャ５８Ａを挿通後、回転部材５４の裏側表面部のほぼ中央部に形成される貫通孔に嵌挿されている。これにより、回転部材５４の遊技者の触れる面は、該回転部材５４の表面部に形成される導電性薄膜、金属製ワッシャ、及び鍔部５０Ａを介してタッチ配線５９Ｂと導通されている。ここで、駆動回路部４１Ｂは、タッチ配線５９Ｂを介して遊技者が回転部材５４に触れている信号が入力された場合にのみ電動機ユニット４１を駆動するように構成されている。
【００３２】
更に、把持部材５３における内部球面の略頂部付近から支持軸６０が一体に形成されており、この支持軸６０は、図４に示すように、その中心線から左側に向かって数度程度（５度前後）傾斜されている。また、この把持部材５３の表面部はメッキ処理を施すことによって導電性の薄膜が形成されている。
【００３３】
また、回転部材５４は、その外周に、手の指の長さ等に合致させるとともに指を引っ掛けるための複数個（図３、図４には４個が示されている）の引掛部５４Ａ乃至５４Ｄが一体に形成されており、また、回転部材５４の板状部６２における略中央位置からは、円筒部６１が把持部材５３側に向かって突出形成されている。ここに、円筒部６１は、回転部材５３の板状部６２に対して直角方向に突出されている。また、円筒部６１の内部には、把持部材５３の支持軸６０が回転可能に挿嵌されており、これにより回転部材５４は、支持軸６０が数度程度傾斜されていること、及び、円筒部６１が板状部６２と直角方向に突出されていることに基づき、平板部５１の表面に対して数度傾斜した状態で把持部材５３に回転可能に支持されるものである。
【００３４】
回転部材５４の板状部６２には、前記した可変抵抗器５０の軸５８が固定されており、従って、回転部材５４が回転されると軸５８も回転され、これにより回転部材５４の回転量に基づき前記したように槌４２のパチンコ球の発射勢を強めたり、弱めたりして槌４２によるパチンコ球の発射勢を加減することが可能となるものである。また、遊技者が把持部材５３の表側表面部に触れている場合には、該把持部材の表面部に形成された導電性薄膜、回転部材５４の円筒部６１に形成された導電性薄膜、金属製ワッシャ、及び鍔部５０Ａを介してタッチ配線５９Ｂと導通されている。ここで、駆動回路部４１Ｂは、タッチ配線５９Ｂを介して遊技者が触れている信号が入力された場合にのみ電動機ユニット４１を駆動するように構成されているため、遊技者が該把持部材５３に触れている場合には、電動機ユニット４１が駆動可能な状態になる。
【００３５】
また、回転部材５４と把持部材５３との間には、戻しコイルバネ６３が配置されている。即ち、図４に示すように、戻しコイルバネ６３の一端は、回転部材の板状部６２に固定されており、また、他端は、把持部材５３の支持軸６０等に固定されている。かかる戻しコイルバネ６３は、回転部材５４を非操作位置（回転操作されていない位置）に向かって常時付勢しており、回転部材５４が回転された後に回転部材５４から指が離されると、その捻り弾性力に基づき回転部材５４を非操作位置まで戻す作用を行う。
【００３６】
前記のように構成された操作ハンドル６を操作する場合は、遊技者が回転部材５４及び把持部材５３に触れているため、タッチ配線５９Ｂ及び駆動回路４１Ｂを介して電動機ユニット４１が駆動可能な状態になり、回転部材５４の各引掛部５４Ａ乃至５４Ｄに指を引っかけ、戻しコイルバネ６３の弾性力に抗して回転部材５４を時計方向に回転することにより、パチンコ球の発射勢が調整される。また、このとき、回転部材５４は、平板部５１に対して数度程度傾斜した状態で把持部材５３に回転可能に支持されているので、手首を不必要に曲げることなく自然な姿勢で操作することができる。これにより、長時間に渡って疲れることなく遊技を楽しむことができるものである。尚、回転部材５４から指を離すと、回転部材５４は、戻しコイルバネ６３の捻り弾性力により元の非操作位置まで反時計方向に回転される。
【００３７】
また、パチンコホールにおいてパチンコ機１、特に、操作ハンドル６及びその周辺部分の清掃を行う場合、操作ハンドル保持部５２を構成する支持部５５と保持部５６との連結部５７は、支持部５５の周囲に渡って平板部５１から一定の距離Ｌだけ離間されているので、雑巾等の清掃具を支持部５５の周囲に十分入り込ませることができる。この結果、支持部５５の周囲の全体に渡って均一に且つ容易に清掃することができる。
【００３８】
ここで、発射モータ４１Ａ及び槌４２等は、発射装置を構成する。また、回転部材５４は、回動操作部材として機能する。また、発射モータ４１Ａ及び駆動回路４１Ｂから構成される電動機ユニット４１は、駆動手段を構成する。また、可変抵抗器５０は、回転量検出装置として機能する。また、操作ハンドル保持部５２は、ハンドル本体部として機能する。また、把持部材５３は、把持部として機能する。
【００３９】
以上説明した通り第１実施形態に係るパチンコ機１では、操作ハンドル６の回転部材５４及び把持部材５３の表面部にメッキ処理などによって導電性薄膜が形成されて、該回転部材５４の円筒部６１と把持部材５３の支持軸６０は、導通される。また、該回転部材の裏側表面部は、金属製ワッシャ５８Ａを介して可変抵抗器５０の鍔部５０Ａに導通されている。更に、この鍔部５０Ａの裏側にはタッチ配線５９Ｂが半田付け等により接続され、他端が電動機ユニット４１の駆動回路部４１Ｂに接続されている。
これにより、遊技者が操作ハンドル６の回転部材５４若しくは把持部材５３に触れることにより、電動機ユニット４１が駆動可能な状態となる。また、タッチ配線５９Ｂは、可変抵抗器５０の鍔部５０Ａの裏側面に接続されているため、操作ハンドル６の組立時におけるタッチ配線５９Ｂの裏側への引き出し及び取り回しが容易になり、操作ハンドル６の組立工数の削減化及び製造品質の向上を図ることができる。
【００４０】
次に、第２実施形態に係るパチンコ機にて採用される操作ハンドルの構成について図５に基づき説明する。図５は第２実施形態に係るパチンコ機の操作ハンドル及びその取付部の模式断面図である。
尚、第２実施形態に係るパチンコ機に採用される操作ハンドルは、基本的に、前記第１実施形態の操作ハンドル６の構成と同様の構成を有しており、従って、以下の説明において第１実施形態におけると同一の部材等については同一の番号を付して説明することとし、また、第２実施形態に特有の構成のみを説明することとする。
【００４１】
図５に示すように、操作ハンドル７１の操作ハンドル保持部７２の保持部７３の前側端部には、前面部を覆う板状部７３Ａが形成され、該板状部７３Ａのほぼ中央部には、可変抵抗器５０の軸５８が裏側から挿通される貫通孔７３Ｂが形成されている。また、該貫通孔７３Ｂの裏側周端縁部には可変抵抗器５０の鍔部５０Ａが嵌入される凹部７３Ｃが形成されている。そして、可変抵抗器５０は、鍔部５０Ａの前面側が該凹部７３Ｃに当接されるように嵌入され、前側からナット等より固定されている。
また、該保持部７３の前端縁部周囲の外側表面部、板状部７３Ａの裏面と表面、貫通孔７３Ｂ、及び凹部７３Ｃには、メッキ処理を施すことによって導電性の薄膜が形成されメッキ部７３Ｄが設けられている。この保持部７３の前端縁部周囲の外側表面部のメッキ部７３Ｄは、遊技者が回転部材５４に指を掛けた場合に、遊技者の指が触れる構成になっている。
さらに、回転部材５４の裏面と保持部７３の前端部とは、摺動する構成になっている。これにより、回転部材５４の表面部と保持部７３のメッキ部７３Ｄとは、電気的に導通している。
【００４２】
このように構成された操作ハンドル７１を遊技者が操作する場合は、遊技者の手が操作ハンドル保持部７２のメッキ部７３Ｄ、回転部材５４及び把持部材５３に触れているため、タッチ配線５９Ｂ及び駆動回路４１Ｂを介して電動機ユニット４１が駆動可能な状態になり、回転部材５４の各引掛部５４Ａ乃至５４Ｄに指を引っかけ、戻しコイルバネ６３の弾性力に抗して回転部材５４を時計方向に回転することにより、パチンコ球の発射勢が調整される。また、このとき、回転部材５４は、平板部５１に対して数度程度傾斜した状態で把持部材５３に回転可能に支持されているので、手首を不必要に曲げることなく自然な姿勢で操作することができる。これにより、長時間に渡って疲れることなく遊技を楽しむことができるものである。尚、回転部材５４から指を離すと、回転部材５４は、戻しコイルバネ６３の捻り弾性力により元の非操作位置まで反時計方向に回転される。
【００４３】
尚、残余の構成については第１実施形態の場合と同一であり、回転部材５４及び把持部材５３の表面部にメッキ処理などによって導電性薄膜が形成されて、該回転部材５４の円筒部６１と把持部材５３の支持軸６０は、導通されている。また、可変抵抗器５０の鍔部５０Ａの裏側にはタッチ配線５９Ｂが半田付け等により接続され、他端が電動機ユニット４１の駆動回路部４１Ｂに接続されている。さらに、操作ハンドル保持部７２を構成する支持部５５と保持部７３との連結部５７が、支持部５５の周囲に渡って平板部５１から一定の距離Ｌだけ離間されている構成については、第１実施形態の場合と同様の構成を有する。
【００４４】
ここで、発射モータ４１Ａ及び槌４２等は、発射装置を構成する。また、回転部材５４は、回動操作部材として機能する。また、発射モータ４１Ａ及び駆動回路４１Ｂから構成される電動機ユニット４１は、駆動手段を構成する。また、可変抵抗器５０は、回転量検出装置として機能する。また、操作ハンドル保持部７２は、ハンドル本体部として機能する。また、把持部材５３は、把持部として機能する。
【００４５】
以上説明した通り第２実施形態に係るパチンコ機では、操作ハンドル７１の操作ハンドル保持部７２の保持部７３の前端縁部周囲の外側表面部、板状部７３Ａの裏面と表面、貫通孔７３Ｂ、及び凹部７３Ｃには、メッキ処理が施されると共に、回転部材５４の裏面と保持部７３の前端部とは、摺動する構成になっている。
従って、操作ハンドル７１を遊技者が操作する場合には、遊技者の手が操作ハンドル保持部７２のメッキ部７３Ｄ、回転部材５４及び把持部材５３のいずれかに触れるため、タッチ配線５９Ｂ及び駆動回路４１Ｂを介して電動機ユニット４１が駆動可能な状態になる。また、タッチ配線５９Ｂは、可変抵抗器５０の鍔部５０Ａの裏側面に接続されているため、操作ハンドル７１の組立時におけるタッチ配線５９Ｂの裏側への引き出し及び取り回しが容易になり、操作ハンドル７１の組立工数の削減化及び製造品質の向上を図ることができる。
【００４６】
尚、本発明は、前記各実施形態に限定されるものではなく、本発明の要旨を逸脱しない範囲内で種々の改良、変形が可能であることは勿論である。
例えば、各実施形態では、可変抵抗器５０を使用しているが、ロータリー式光エンコーダを使用してもよい。また、第２実施形態では、保持部７３の前端縁部外周面にメッキを施しているが、操作ハンドル保持部７２の全表面部に導電性を有するメッキ処理を施してもよい。
【００４７】
【発明の効果】
以上説明した通り請求項１及び請求項２のパチンコ機では、回転部材の導電性被膜と鍔部とを電気的に接続するとともに、鍔部に対してタッチ配線の一端を電気的に接続するように構成されているので、遊技者が操作ハンドルの回転部材に触れていることをこのタッチ配線を介して電気的に確実に検出することができる。
【００４８】
また、請求項１及び請求項２に係るパチンコ機では、駆動手段に接続されているタッチ配線の一端が、可変抵抗器に付設された金属製の鍔部の後面側に電気的に接続されているので、タッチ配線の他端側は、操作ハンドル保持部内を鍔部の後側へ引き出されることとなり、これにより操作ハンドルの組立時におけるこのタッチ配線の引き出し及び取り回しが容易になり、操作ハンドルの組立工数の削減化及び製造品質の向上を図ることができる。
【図面の簡単な説明】
【図１】  第１実施形態に係るパチンコ機全体を示した正面図である。
【図２】  第１実施形態に係るパチンコ機全体を示した背面図である。
【図３】  第１実施形態に係るパチンコ機の下部受け皿及びその周辺構成を取り出して示す上面図である。
【図４】  第１実施形態に係るパチンコ機の操作ハンドル及びその取付部の模式断面図である。
【図５】  第２実施形態に係るパチンコ機の操作ハンドル及びその取付部の模式断面図である。
【符号の説明】
１            パチンコ機
５            下部受け皿
６、７１      操作ハンドル
５０          可変抵抗器
５０Ａ        鍔部
５１          平板部
５２、７２    操作ハンドル保持部
５３          把持部材
５４          回転部材
５５          支持部
５６、７３    保持部
５７          連結部
５８          軸
５９Ａ        信号線
５９Ｂ        タッチ配線
６０          支持軸
６１          円筒部
６２          板状部
６３          戻しコイルバネ
７３Ａ        板状部
７３Ｄ        メッキ部
【図１】
0003921636.tif 000002
【図２】
0003921636.tif 000003
【図３】
0003921636.tif 000004
【図４】
0003921636.tif 000005
【図５】
0003921636.tif 000006